(57)【要約】【課題】例えば屋内と屋外の気圧差などにより玄関扉を開ける方向に対して非常に重くなった場合に玄関扉を開けやすくするための玄関扉の開動補助装置を提供する。【解決手段】出入り口の上枠に玄関扉に向いて取り付けられる開動補助装置であって、ケーシング７内には、駆動モーター８と、駆動モーター８の回転軸８ａから動力伝達機構を介して繋がる雄ねじ軸１３と、雄ねじ軸１３の長さ方向にスライド自在な２枚のプレート１７，１８と、２枚のプレート１７，１８間に介在され両端が２枚のプレート１７，１８に結合された緩衝用の引っ張りばね１６とを備え、雄ねじ軸１３の回転により２枚のプレート１７，１８および引っ張りばね１６を一体的に移動させるとともに他方のプレート１８に固定された連結棒２０に取り付けられている扉押し付け具２１をケーシング７の開口部２２より玄関扉１側に突出させ、玄関扉１を押し開くように構成した。【選択図】図５
2008291483.tif 000002
【特許請求の範囲】
【請求項１】
出入り口の扉を開扉する際に、開扉方向に開動補助する開動補助装置であって、ケーシング内に開扉方向の動力を伝達する押圧部と、押圧部を往復運動させて出退可能にする作動部と、作動部を動作させる駆動モーターと動力伝達機構からなる動力部とを有し、前記作動部は、前記駆動モーターの回転軸から動力伝達機構を介して繋がる雄ねじ軸と、この雄ねじ軸の長さ方向にスライド自在な２枚のプレートと、この２枚のプレート間に介在され両端が２枚のプレートに結合された緩衝用のばねとを備え、前記２枚のプレートの何れか一方のプレートには前記雄ねじ軸に螺合する雌ねじ部材が設けられて雄ねじ軸の回転により２枚のプレートおよびばねを一体的に雄ねじ軸の長さ方向に移動させるように構成され、前記２枚のプレートの何れか他方のプレートに固定された連結棒の他端側を前記押圧部としてケーシングの開口部に対して出退するように構成され、前記雄ねじ軸の回転により２枚のプレートおよびばねを一体的に移動させて前記連結棒の他端側の押圧部の押圧力により、扉を開く方向の力を補うべく応力伝達するようにしたことを特徴とする扉の開動補助装置。
【請求項２】
出入り口の扉を開扉する際に、開扉方向に開動補助する開動補助装置であって、ケーシング内に開扉方向の動力を伝達する押圧部と、押圧部を往復運動させて出退可能にする作動部と、作動部を動作させる駆動モーターと動力伝達機構からなる動力部とを有し、前記作動部は、前記駆動モーターの回転軸から動力伝達機構を介して繋がるウオームと、このウオームに噛合するウオームギヤと、このウオームギヤと同軸上でウオームギヤとは個別に回転自在に取り付けられた作動板と、ウオームギヤの回転を作動板に連動させるために一端がウオームギヤ側に係止されるとともに他端が作動板側に係止されたコイルばねと、ウオームギヤから伝達される作動板の回転によりケーシングの開口部に対して出退するように往復運動が可能な前記押圧部を備えてなり、前記押圧部の押圧力により、扉を開く方向の力を補うべく応力伝達するようにしたことを特徴とする扉の開動補助装置。
【請求項３】
押圧部に押圧体を一体的に設け、押圧体の押圧力により、扉を開く方向の力を補うべく応力伝達するようにしたことを特徴とする請求項１または２記載の扉の開動補助装置。
【請求項４】
出入り口の扉を開扉する際に、開扉方向に開動補助する開動補助装置であって、ケーシング内に開扉方向の動力を伝達する押圧部と、押圧部を往復運動させる作動部と、作動部を動作させる駆動モーターと動力伝達機構からなる動力部とを有し、前記作動部は、前記駆動モーターの回転軸から動力伝達機構を介して繋がる雄ねじ軸と、この雄ねじ軸の長さ方向にスライド自在な２枚のプレートと、この２枚のプレート間に介在され両端が２枚のプレートに結合された緩衝用のばねとを備え、前記２枚のプレートの何れか一方のプレートには前記雄ねじ軸に螺合する雌ねじ部材が設けられて雄ねじ軸の回転により２枚のプレートおよびばねを一体的に雄ねじ軸の長さ方向に移動させるように構成され、前記２枚のプレートの何れか他方のプレートに固定された連結棒の他端側を前記押圧部とし、扉に押圧体を一体的に設け、ケーシングに押圧体挿入部を形成し、前記雄ねじ軸の回転により２枚のプレートおよびばねを一体的に移動させて前記押圧部からの押圧体への押圧力により、扉を開く方向の力を補うべく応力伝達するようにしたことを特徴とする扉の開動補助装置。
【請求項５】
出入り口の扉を開扉する際に、開扉方向に開動補助する開動補助装置であって、ケーシング内に開扉方向の動力を伝達する押圧部と、押圧部を往復運動させる作動部と、作動部を動作させる駆動モーターと動力伝達機構からなる動力部とを有し、前記作動部は、前記駆動モーターの回転軸から動力伝達機構を介して繋がるウオームと、このウオームに噛合するウオームギヤと、このウオームギヤと同軸上でウオームギヤとは個別に回転自在に取り付けられた作動板と、ウオームギヤの回転を作動板に連動させるために一端がウオームギヤ側に係止されるとともに他端が作動板側に係止されたコイルばねと、ウオームギヤから伝達される作動板の回転により往復運動が可能な前記押圧部を備えてなり、扉に押圧体を一体的に設け、ケーシングに押圧体挿入部を形成し、前記押圧部からの押圧体への押圧力により、扉を開く方向の力を補うべく応力伝達するようにしたことを特徴とする扉の開動補助装置。
【請求項６】
ケーシング内に挿入された押圧体に対して、ピンを差し込んでケーシングと結合させることにより施錠するように構成したことを特徴とする請求項４または５記載の扉の開動補助装置。
【発明の詳細な説明】
【技術分野】
【０００１】
本発明は、マンションなどの集合住宅や一戸建て住宅など建物の扉の開動を補助するための扉の開動補助装置に関するものである。
【背景技術】
【０００２】
従来のこの種扉の開動補助装置としては例えば特許文献１に開示されているような、柱枠に対して蝶番を介して回動可能に取り付けられ且つ閉鎖姿勢を保持するラッチを備えた回動扉であって、この扉を閉鎖した姿勢において扉のヒンジ側端面とこの端面に隣接する柱枠の側面の何れか一方に、扉を常時開放方向に弾力的に付勢する弾性突出棒体が出没自在に埋設されているものが知られている。
【特許文献１】特開平１１−２８０３２９号公報
【発明の開示】
【発明が解決しようとする課題】
【０００３】
上記特許文献１に開示されている扉の開放補助機構は把手でラッチを解除して扉を開こうとするときに弾性突出棒体の突出する力が扉のヒンジ側端面に掛かり、扉を半開きの状態まで開動させることができるとあるが、弾性突出棒体を突出する方向に付勢して扉を開動させるためには相当強いばねを用いる必要がある。
【０００４】
上記特許文献１に開示されている扉の開放補助機構は身障者の玄関出入り口の通行時に把手でラッチを解除するだけで扉を弾性突出棒体の付勢力により半開きの状態まで開動させ、身障者の玄関出入り口の通行を行ないやすくするものであるが、例えば突風などにより扉に対して閉じる方向に大きな力が加わった場合、上記の開放補助機構の構成では把手でラッチを解除しても弾性突出棒体のばねによる付勢力だけでは扉を開動させるのは困難である。特に、マンションなどの気密性の高い住居にあっては屋内と屋外とでは気圧差が生じ、玄関の扉を内側から押し開くか、外側から引き開く場合でも非常に重く、力の弱い女性、子供、年寄りにとっては玄関扉の開閉が困難である。
【０００５】
本発明の目的は、このような課題を解決するものであり、例えば突風などにより玄関の扉に対して閉じる方向に大きな力が加わった場合や、屋内と屋外の気圧差などにより玄関の扉を開ける方向に対して非常に重くなった場合に扉を開けやすくするための扉の開動補助装置を提供することにある。
【課題を解決するための手段】
【０００６】
本発明の請求項１に記載の扉の開動補助装置は、出入り口の扉を開扉する際に、開扉方向に開動補助する開動補助装置であって、ケーシング内に開扉方向の動力を伝達する押圧部と、押圧部を往復運動させて出退可能にする作動部と、作動部を動作させる駆動モーターと動力伝達機構からなる動力部とを有し、前記作動部は、前記駆動モーターの回転軸から動力伝達機構を介して繋がる雄ねじ軸と、この雄ねじ軸の長さ方向にスライド自在な２枚のプレートと、この２枚のプレート間に介在され両端が２枚のプレートに結合された緩衝用のばねとを備え、前記２枚のプレートの何れか一方のプレートには前記雄ねじ軸に螺合する雌ねじ部材が設けられて雄ねじ軸の回転により２枚のプレートおよびばねを一体的に雄ねじ軸の長さ方向に移動させるように構成され、前記２枚のプレートの何れか他方のプレートに固定された連結棒の他端側を前記押圧部としてケーシングの開口部に対して出退するように構成され、前記雄ねじ軸の回転により２枚のプレートおよびばねを一体的に移動させて前記連結棒の他端側の押圧部の押圧力により、扉を開く方向の力を補うべく応力伝達するようにしたことを特徴とする。
【０００７】
請求項２に記載の扉の開動補助装置は、出入り口の扉を開扉する際に、開扉方向に開動補助する開動補助装置であって、ケーシング内に開扉方向の動力を伝達する押圧部と、押圧部を往復運動させて出退可能にする作動部と、作動部を動作させる駆動モーターと動力伝達機構からなる動力部とを有し、前記作動部は、前記駆動モーターの回転軸から動力伝達機構を介して繋がるウオームと、このウオームに噛合するウオームギヤと、このウオームギヤと同軸上でウオームギヤとは個別に回転自在に取り付けられた作動板と、ウオームギヤの回転を作動板に連動させるために一端がウオームギヤ側に係止されるとともに他端が作動板側に係止されたコイルばねと、ウオームギヤから伝達される作動板の回転によりケーシングの開口部に対して出退するように往復運動が可能な前記押圧部を備えてなり、前記押圧部の押圧力により、扉を開く方向の力を補うべく応力伝達するようにしたことを特徴とする。
【０００８】
請求項３に記載の扉の開動補助装置は、押圧部に押圧体を一体的に設け、押圧体の押圧力により、扉を開く方向の力を補うべく応力伝達するようにしたことを特徴とする。
請求項４に記載の扉の開動補助装置は、出入り口の扉を開扉する際に、開扉方向に開動補助する開動補助装置であって、ケーシング内に開扉方向の動力を伝達する押圧部と、押圧部を往復運動させる作動部と、作動部を動作させる駆動モーターと動力伝達機構からなる動力部とを有し、前記作動部は、前記駆動モーターの回転軸から動力伝達機構を介して繋がる雄ねじ軸と、この雄ねじ軸の長さ方向にスライド自在な２枚のプレートと、この２枚のプレート間に介在され両端が２枚のプレートに結合された緩衝用のばねとを備え、前記２枚のプレートの何れか一方のプレートには前記雄ねじ軸に螺合する雌ねじ部材が設けられて雄ねじ軸の回転により２枚のプレートおよびばねを一体的に雄ねじ軸の長さ方向に移動させるように構成され、前記２枚のプレートの何れか他方のプレートに固定された連結棒の他端側を前記押圧部とし、扉に押圧体を一体的に設け、ケーシングに押圧体挿入部を形成し、前記雄ねじ軸の回転により２枚のプレートおよびばねを一体的に移動させて前記押圧部からの押圧体への押圧力により、扉を開く方向の力を補うべく応力伝達するようにしたことを特徴とする。
【０００９】
請求項５に記載の扉の開動補助装置は、出入り口の扉を開扉する際に、開扉方向に開動補助する開動補助装置であって、ケーシング内に開扉方向の動力を伝達する押圧部と、押圧部を往復運動させる作動部と、作動部を動作させる駆動モーターと動力伝達機構からなる動力部とを有し、前記作動部は、前記駆動モーターの回転軸から動力伝達機構を介して繋がるウオームと、このウオームに噛合するウオームギヤと、このウオームギヤと同軸上でウオームギヤとは個別に回転自在に取り付けられた作動板と、ウオームギヤの回転を作動板に連動させるために一端がウオームギヤ側に係止されるとともに他端が作動板側に係止されたコイルばねと、ウオームギヤから伝達される作動板の回転により往復運動が可能な前記押圧部を備えてなり、扉に押圧体を一体的に設け、ケーシングに押圧体挿入部を形成し、前記押圧部からの押圧体への押圧力により、扉を開く方向の力を補うべく応力伝達するようにしたことを特徴とする。
【００１０】
請求項６に記載の扉の開動補助装置は、ケーシング内に挿入された押圧体に対して、ピンを差し込んでケーシングと結合させることにより施錠するように構成したことを特徴とする。
【発明の効果】
【００１１】
以上のように、本発明の扉の開動補助装置は、例えば突風などにより玄関の扉に対して閉じる方向に大きな力が加わった場合や、屋内と屋外の気圧差などにより玄関の扉を開ける方向に対して非常に重くなった場合、駆動モーターを回転させて押圧部を移動させ、押圧部により扉を押し開くことにより扉を簡単に開くことができるものである。また、前記２枚のプレート間にはばねが介在されているので、扉を押し開く際に押圧部に衝撃が加わっても、その衝撃をばね力により吸収することができる。また、前記ウオームギヤと作動板との間にコイルばねが介在されているので、扉を押し開く際に押圧部に衝撃が加わっても、その衝撃をばね力により吸収することができる。また、扉側に押圧体を一体的に設け、押圧部が押圧体を押圧する場合も同様の効果が得られ、この押圧体をケーシング内に挿入された状態で、ピンを差し込んでケーシングと結合させることにより施錠することができる。
【発明を実施するための最良の形態】
【００１２】
以下、本発明の実施の形態を、図面に基づき具体的に説明する。
先ず、図１〜図６に示す第１の実施の形態について説明すると、１は一側部が蝶番（図示せず）により出入り口２の縦枠３に回転自在に支持された玄関扉であって、この玄関扉１の蝶番支持側とは反対側の他側部にはラッチ錠が内蔵された把手４が設けられている。そして、この把手４が取り付けられた他側部側、つまり戸先側において室内側に位置する出入り口２の上枠５には玄関扉１に向いて開動補助装置６が取り付けられている。
【００１３】
開動補助装置６は上枠５の下面に前記玄関扉１の上端内面に向き合うように取り付けられる。この開動補助装置６のケーシング７内には、駆動モーター８と、この駆動モーター８の回転軸８ａに取り付けられた歯車９と、この歯車９に噛合するように前記回転軸８ａと平行な軸１０の一端に取り付けられた歯車１１と、この歯車１１を取り付ける軸１０の他端に取り付けられた歯車１２と、この歯車１２に噛合するように前記軸１０と平行な雄ねじ軸１３の一端に取り付けられた歯車１４を備え、これら動力伝達機構としての歯車９，１１，１２，１４により駆動モーター８の回転数を減速し、駆動モーター８の回転力を増幅させるように構成されている。そして、これら歯車９，１１，１２，１４は前記ケーシング７内の一端側に位置するように設けられる。前記雄ねじ軸１３はケーシング７内の他端側に向ってケーシング７の両端間で他端側寄りの位置までの長さを有している。１５は雄ねじ軸１３を支持する軸受けである。前記雄ねじ軸１３には緩衝用の引っ張りばね１６と、この引っ張りばね１６の両端を挟み引っ張りばね１６の両端と結合される２枚のプレート１７，１８が雄ねじ軸１３の長さ方向にスライド自在に設けられている。２枚のプレート１７，１８には雄ねじ軸１３にスライド自在に外嵌するために丸孔（図示せず）が形成されており、ケーシング７の他端側に向く一方のプレート１７の内面側には雄ねじ軸１３に螺合する雌ねじ部材１９が固着されている。２０は前記雄ねじ軸１３を挟むように一端が他方のプレート１８に固定されるとともに他端が一方のプレート１７を貫通して扉押し付け具２１に結合された２本の連結棒である。前記扉押し付け具２１は前記ケーシング７の他端側に位置するように配設されており、ケーシング７の他端側に形成された開口部２２より出退可能となっている。
【００１４】
以上のように構成された開動補助装置６はケーシング７の他端側、つまり扉押し付け具２１が玄関扉１の上端内側に近接するように出入り口２の上枠５に取り付けられる。開動補助装置６は作動していない状態のときは図４に示すように引っ張りばね１６が縮んだ状態で２枚のプレート１７，１８に挟まれてケーシング７の一端側に位置して扉押し付け具２１は開口部２２より突出していない状態となっている。
【００１５】
玄関扉１を開けたいときはラッチを解除して把手４を握って玄関扉１を開けるのであるが、例えば屋内と屋外の気圧差などにより玄関扉を開ける方向に対して非常に重くなった場合、スイッチ（図示せず）を押して前記駆動モーター８を正方向に回転させることにより前記歯車９→歯車１１→歯車１２→歯車１４と回転が伝わり、雄ねじ軸１３が回転して前記雌ねじ部材１９とともに一方のプレート１７が雄ねじ軸１３上をケーシング７の他端方向に移動する。つまり、雄ねじ軸１３の回転により雌ねじ部材１９とともに一方のプレート１７が移動するのは２本の連結棒２０が一方のプレート１７を貫通しているからであり、雄ねじ軸１３の回転により雌ねじ部材１９とともに一方のプレート１７は共回りしないように構成されているからである。前述のように一方のプレート１７が雄ねじ軸１３上を移動すると同時に収縮状態の引っ張りばね１６および他方のプレート１８も雄ねじ軸１３上を移動することになり、これにより他方のプレート１８に一端が固定されている連結棒２０の他端に取り付けられている扉押し付け具２１は図５に示すように開口部２２より玄関扉１側に突出し、玄関扉１を開く方向に押すことになる。つまり、扉押し付け具２１からの押圧力により、扉１を開く方向の力を補うべく応力伝達するように構成されている。このような動作により玄関扉１を少しでも開くことにより屋内と屋外の気圧差がなくなり、玄関扉１を手で容易に開くことが可能となる。扉押し付け具２１が開口部２１より玄関扉１側に突出して玄関扉１を押し開く際、扉押し付け具２１に多少の衝撃が加わるが、その衝撃は他方のプレート１８から引っ張りばね１６を伸ばす方向に力が働くことにより吸収される。扉押し付け具２１の突出により玄関扉１を押し開いた後は数秒後に前記駆動モーター８が逆転して雄ねじ軸１３も逆転し、前記引っ張りばね１６が縮んだ状態で２枚のプレート１７，１８をケーシング７の一端側に移動させて図４に示す状態に自動復帰させるようになっている。
【００１６】
ところで、玄関扉１のラッチを解除しないままスイッチを押して前記駆動モーター８を駆動させたときは扉押し付け具２１が開口部２２より突出することができず、図６に示すように一方のプレート１７のみが雄ねじ軸１３上を移動して引っ張りばね１６が伸ばされた状態となる。
【００１７】
次に、図７〜図１０に示す第２の実施の形態について説明すると、前記第１の実施の形態では２枚のプレート１７，１８間に介在させた引っ張りばね１６により衝撃を吸収したり大きな負荷を吸収したりできるようになっているが、第２の実施の形態では２枚のプレート１７，１８間に緩衝用の圧縮ばね２３に介在させ、この圧縮ばね２３により衝撃を吸収したり大きな負荷を吸収したりできるようにしてある。第２の実施の形態では２枚のプレート１７，１８間に圧縮ばね２３に介在させた点および他方のプレート１８側に雄ねじ軸１３に螺合する雌ねじ部材１９が固着されている点、さらに一方のプレート１７に他端が扉押し付け具２１に結合された２本の連結棒２０の一端が固定されている点で第１の実施の形態と構成が異なる。
【００１８】
この第２の実施の形態において、玄関扉１のラッチを解除した状態でスイッチを押して前記駆動モーター８を駆動させることにより歯車９→歯車１１→歯車１２→歯車１４と回転が伝わり、雄ねじ軸１３が回転して図８に示す状態から雌ねじ部材１９とともに他方のプレート１８が雄ねじ軸１３上をケーシング７の他端方向に移動する。これと同時に圧縮ばね２３および一方のプレート１７も雄ねじ軸１３上を移動することになり、これにより一方のプレート１７に一端が固定されている連結棒２０の他端に取り付けられている扉押し付け具２１は図９に示すように開口部２２より玄関扉１側に突出し、玄関扉１を開く方向に押すことになる。つまり、扉押し付け具２１からの押圧力により、扉１を開く方向の力を補うべく応力伝達するように構成されている。このような動作により玄関扉１を少しでも開くことにより屋内と屋外の気圧差がなくなり、玄関扉１を手で容易に開くことが可能となる。扉押し付け具２１が開口部２２より玄関扉１側に突出して玄関扉１を押し開く際、扉押し付け具２１に多少の衝撃が加わるが、その衝撃は一方のプレート１７から圧縮ばね２３を縮める方向に力が働くことにより吸収される。
【００１９】
玄関扉１のラッチを解除しないままスイッチを押して駆動モーター８を駆動させたときは扉押し付け具２１が開口部２２より突出することができず、図１０に示すように他方のプレート１８のみが雄ねじ軸１３上を移動して圧縮ばね２３が２枚のプレート１７，１８間で収縮された状態となる。
【００２０】
要するに、以上述べた２つの実施の形態では、ケーシング７内に、開扉方向の動力を伝達する押圧部（扉押し付け具２１）と、押圧部をケーシング７の開口部２２より出退可能にする作動部（雄ねじ軸１３、２枚のプレート１７，１８、引っ張りばね１６または圧縮ばね２３）と、作動部を動作させる駆動モーター８と動力伝達機構（歯車９，１１，１２）からなる動力部とを有しており、開口部２２より突出する押圧体としての扉押し付け具２１により玄関扉１を押し開くようになっているが、連結棒２０の他端に扉押し付け具２１を設けずに、連結棒２０の他端をケーシング７より突出可能として、連結棒２０の他端で直接玄関扉１を押し開くようにしても良い。
【００２１】
次に、図１１〜図１５に示す第３の実施の形態について説明すると、この第３の実施の形態の開動補助装置２４の構成は前記第１および第２の実施の形態とは動力伝達機構部の構成が異なっており、以下具体的に説明する。
【００２２】
開動補助装置２４のケーシング２５内には、駆動モーター２６と、この駆動モーター２６の水平方向に向く回転軸２６ａに取り付けられた歯車２７と、この歯車２７に噛合するように前記回転軸２６ａと平行な軸２８の一端に取り付けられた歯車２９と、この歯車２９を取り付ける軸２８の他端に取り付けられた歯車３０と、この歯車３０に噛合するように前記軸２８と平行な軸３１の一端に取り付けられた歯車３２と、この歯車３２を取り付ける軸３１の他端に取り付けられた傘歯車３３と、この傘歯車３３に噛合するように前記軸３１に対して直交して水平方向に向く軸３４の一端に取り付けられた傘歯車３５と、この傘歯車３５を取り付ける軸３４の他端に取り付けられたウオーム３６と、このウオーム３６に噛合するように鉛直方向に向く軸３７に回転自在に取り付けられた４分の１円形のウオームギヤ３８と、このウオームギヤ３８と同軸３７上でウオームギヤ３８とは個別に回転自在に取り付けられた半円形の作動板３９と、ウオームギヤ３８の回転を作動板３９に連動させるために一端がウオームギヤ３８側に係止されるとともに他端が作動板３９側に係止されたコイルばね４０と、ウオームギヤ３８から伝達される作動板３９の回転によりケーシング２５の開口部４１に対して出退するように往復運動が可能な扉押し付け棒４２とを備えている。前記歯車２７からウオームギヤ３８までの動力伝達機構は駆動モーター２６の回転数を減速し、駆動モーター２６の回転力を増幅させ、前記作動板３９から扉押し付け棒４２に伝達させるためのものである。ところで、前記作動板３９には下面から突出する連結ピン４３が設けられ、この連結ピン４３は前記扉押し付け棒４２の基端部と連結され扉押し付け棒４２の出退方向にスライドする摺動体４４の凹部４４ａに上から嵌入して作動板３９の回転を扉押し付け棒４２の直線運動に変えて伝えるようになっている。なお、作動板３９の回転により連結ピン４３は円弧の軌跡上で移動するので、摺動体４４の凹部４４ａにおいて連結ピン４３は凹部４４ａの幅内で動くことができるように連結ピン４３と摺動体４４は遊びを持って繋がれている。４５は摺動体４４のスライドを案内するガイド部材である。
【００２３】
以上のように構成された開動補助装置２４は扉押し付け棒４２の先端が玄関扉１の上端内側に近接するように前記第１および第２の実施の形態と同様に出入り口の上枠に取り付けられる。開動補助装置２４は作動していない状態のときは図１２に示すように摺動体４４がガイド部材４５の内端側位置にあって、扉押し付け棒４２は開口部４１より突出していない状態となっている。
【００２４】
玄関扉１を開けたいときはラッチを解除して把手を握って玄関扉１を開けるのであるが、例えば屋内と屋外の気圧差などにより玄関扉１を開ける方向に対して非常に重くなった場合、スイッチ（図示せず）を押して前記駆動モーター２６を正方向に回転させることにより前記歯車２７→歯車２９→歯車３０→歯車３２→傘歯車３３→傘歯車３５→ウオーム３６→ウオームギヤ３８と回転が伝わり、このウオームギヤ３８の回転がコイルばね４０を介して作動板３９に伝わり、この作動板３９の回転を扉押し付け棒４２に直線運動に変えて伝わることにより扉押し付け棒４２は図１４に示すように開口部４１より玄関扉１側に突出し、玄関扉１を開く方向に押すことになる。つまり、扉押し付け棒４２からの押圧力により、扉１を開く方向の力を補うべく応力伝達するように構成されている。このような動作により玄関扉１を少しでも開くことにより屋内と屋外の気圧差がなくなり、玄関扉１を手で容易に開くことが可能となる。扉押し付け棒４２が開口部４１より玄関扉１側に突出して玄関扉１を押し開く際、扉押し付け棒４２に多少の衝撃が加わるが、その衝撃は扉押し付け棒４２から作動板３９、作動板３９からコイルばね４０へと伝わることにより吸収される。扉押し付け棒４２の突出により玄関扉１を押し開いた後は数秒後に前記駆動モーター２６が逆転して歯車２７から作動板３９までの全ての部品が逆転し、扉押し付け棒４２は図１２に示す状態に自動復帰するようになっている。
【００２５】
ところで、玄関扉１のラッチを解除しないままスイッチを押して前記駆動モーター２６を駆動させたときは扉押し付け棒４２は開口部４１より突出することができず、図１５に示すように歯車２７からウオームギヤ３８までが図１４に示す状態と同様に回転するが、扉押し付け棒４２は開口部４１より突出することができないために作動板３９は回転することができず、この作動板３９とウオームギヤ３８との間のコイルばね４０は収縮した状態となる。
【００２６】
要するに、以上述べた第３の実施の形態では、ケーシング２５内に開扉方向の動力を伝達する押圧部（扉押し付け棒４２）と、押圧部を往復運動させて出退可能にする作動部（ウオーム３６、ウオームギヤ３８、作動板３９、コイルばね４０）と、作動部を動作させる駆動モーター２６と動力伝達機構（歯車２７，２９，３０，３２、傘歯車３３，３５）からなる動力部とを有しており、開口部４０より突出する扉押し付け棒４２により玄関扉１を押し開くようになっているが、扉押し付け棒４２の先端に押圧体としての扉押し付け具を設けて、この扉押し付け具で玄関扉１を押し開くようにしても良い。
【００２７】
以上述べた３つの実施の形態の開動補助装置６，２４は、戸先側における出入り口２の上枠５に取り付けられている（図１６（Ａ）参照）が、図１６（Ｂ）に示すように戸先と吊りもととの間の中間位置における出入り口２の上枠５に取り付けられても良く、また図１６（Ｃ）に示すように戸先側における縦枠の上端に取り付けられても良く、さらに図１６（Ｄ）に示すように戸先側における縦枠の下端に取り付けられても良い。
【００２８】
さらに、以上述べた３つの実施の形態では、ケーシングより突出する押圧部あるいは押圧体により玄関扉１を押し開くようになっているが、玄関扉１側に押圧体を一体的に設け、ケーシングに押圧体挿入部を形成し、ケーシング内の押圧部からの押圧体への押圧力により、玄関扉１を押し開くようにしても良い。そして、このケーシング内に挿入された押圧体に対して、ピンを差し込んでケーシングと結合させることにより施錠するようにしても良い。さらに、以上述べた３つの実施の形態は、建物の玄関扉１の開動補助装置であるが、玄関扉に限定されるものではない。
【図面の簡単な説明】
【００２９】
【図１】本発明の第１の実施の形態における開動補助装置の斜視図である。
【図２】同開動補助装置の取り付け状態を示す概略側断面図である。
【図３】同開動補助装置の取り付け状態を示す概略正面図である。
【図４】同開動補助装置の平面図である。
【図５】同開動補助装置により玄関扉が押し開かれた状態を示す平面図である。
【図６】同玄関扉のラッチを解除しないままスイッチが押された状態を示す平面図である。
【図７】本発明の第２の実施の形態における開動補助装置の斜視図である。
【図８】同開動補助装置の平面図である。
【図９】同開動補助装置により玄関扉が押し開かれた状態を示す平面図である。
【図１０】同玄関扉のラッチを解除しないままスイッチが押された状態を示す平面図である。
【図１１】本発明の第３の実施の形態における開動補助装置の斜視図である。
【図１２】同開動補助装置の平面図である。
【図１３】同開動補助装置の断面図である。
【図１４】同開動補助装置により玄関扉が押し開かれた状態を示す平面図である。
【図１５】同玄関扉のラッチを解除しないままスイッチが押された状態を示す平面図である。
【図１６】（Ａ）〜（Ｄ）は３つの実施の形態における開動補助装置の取り付け例を示す説明図である。
【符号の説明】
【００３０】
１              玄関扉
２              出入り口
３              縦枠
４              把手
５              上枠
６              開動補助装置
７              ケーシング
８              駆動モーター
８ａ            回転軸
９              歯車
１０              軸
１１              歯車
１２              歯車
１３              雄ねじ軸
１４              歯車
１５              軸受け
１６              引っ張りばね
１７，１８        プレート
１９              雌ねじ部材
２０              連結棒
２１              扉押し付け具
２２              開口部
２３              圧縮ばね
２４              開動補助装置
２５              ケーシング
２６              駆動モーター
２６ａ            回転軸
２７              歯車
２８              軸
２９              歯車
３０              歯車
３１              軸
３２              歯車
３３              傘歯車
３４              軸
３５              傘歯車
３６              ウオーム
３７              軸
３８              ウオームギヤ
３９              作動板
４０              コイルばね
４１              開口部
４２              扉押し付け棒
４３              連結ピン
４４              摺動体
４４ａ            凹部
４５              ガイド部材
【図１】
2008291483.tif 000003
【図２】
2008291483.tif 000004
【図３】
2008291483.tif 000005
【図４】
2008291483.tif 000006
【図５】
2008291483.tif 000007
【図６】
2008291483.tif 000008
【図７】
2008291483.tif 000009
【図８】
2008291483.tif 000010
【図９】
2008291483.tif 000011
【図１０】
2008291483.tif 000012
【図１１】
2008291483.tif 000013
【図１２】
2008291483.tif 000014
【図１３】
2008291483.tif 000015
【図１４】
2008291483.tif 000016
【図１５】
2008291483.tif 000017
【図１６】
2008291483.tif 000018